(57)【要約】  測定ギャップ中に受信アンテナダイバーシティ測定を実行するための方法および装置が提供される。一実施形態は、通常動作期間中に１つまたは複数の受信アンテナの第１のセットを使用してサービング基地局と通信することと、通常動作期間の間の測定ギャップ中に１つまたは複数の受信アンテナの第２のセットを用いて受信アンテナダイバーシティ測定を実行することと、受信アンテナダイバーシティ測定に基づいて、使用および／または組合せのうちの少なくとも１つのために１つまたは複数の受信アンテナを選択することとを含み得る。【選択図】図４
2015502123.tif 000002
【特許請求の範囲】
【請求項１】
通常動作期間中に１つまたは複数の受信アンテナの第１のセットを使用してサービング基地局と通信することと、
通常動作期間の間の測定ギャップ中に１つまたは複数の受信アンテナの第２のセットを用いて受信アンテナダイバーシティ測定を実行することと、
前記受信アンテナダイバーシティ測定に基づいて、使用または組合せのうちの少なくとも１つのために１つまたは複数の受信アンテナを選択することと
を備える、ワイヤレス通信のための方法。
【請求項２】
アンテナの前記第２のセットは、時間とともに変化する、
請求項１に記載の方法。
【請求項３】
受信アンテナダイバーシティ測定を実行することは、自動利得制御（ＡＧＣ）動作点を選定することと、セルを識別するためにネイバー探索を実行することと、測定を実行することとのうちの少なくとも１つを備える、
請求項１に記載の方法。
【請求項４】
前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、
請求項１に記載の方法。
【請求項５】
前記測定ギャップ中にサブフレームの少なくともサブセット上で前記サービング基地局から制御またはデータのうちの少なくとも１つを受信することをさらに備える、
請求項１に記載の方法。
【請求項６】
前記測定ギャップを定めるために前記サービング基地局にシグナリングすることをさらに備える、
請求項１に記載の方法。
【請求項７】
前記シグナリングすることは、測定ギャップを要求することを備える、
請求項６に記載の方法。
【請求項８】
前記シグナリングすることは、測定ギャップ中に受信アンテナダイバーシティ測定を実行するための能力をシグナリングすることを備える、
請求項６に記載の方法。
【請求項９】
受信アンテナダイバーシティ測定を実行することは、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、
請求項１に記載の方法。
【請求項１０】
受信アンテナダイバーシティ測定を実行することは、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、
請求項１に記載の方法。
【請求項１１】
受信アンテナダイバーシティ測定を実行することは、
測定ギャップ中に他のキャリアまたは他の無線アクセス技術のうちの少なくとも１つの測定値を取得することを無効化することを備える、
請求項１に記載の方法。
【請求項１２】
受信アンテナダイバーシティ測定を実行することは、
他のキャリアまたは他の無線アクセス技術のうちの少なくとも１つの測定値を取得しながら、異なる測定ギャップ中にアンテナの異なるセットからのサンプルを使用することを備える、
請求項１に記載の方法。
【請求項１３】
３つ以上の受信アンテナからサウンディング基準信号（ＳＲＳ）を送信することをさらに備える、
請求項１に記載の方法。
【請求項１４】
通常動作期間中に１つまたは複数の受信アンテナの第１のセットを利用するユーザ機器（ＵＥ）と通信することと、
１つまたは複数の受信アンテナの第２のセットを用いて受信アンテナダイバーシティ測定を実行するために前記ＵＥを測定ギャップで構成することと
を備える、ワイヤレス通信のための方法。
【請求項１５】
前記測定ギャップを定めるためにシグナリングを前記ＵＥから受信することをさらに備える、
請求項１４に記載の方法。
【請求項１６】
前記シグナリングすることは、測定ギャップを要求することを備える、
請求項１５に記載の方法。
【請求項１７】
前記シグナリングすることは、測定ギャップ中に受信アンテナダイバーシティ測定を実行するための能力をシグナリングすることを備える、
請求項１５に記載の方法。
【請求項１８】
前記構成された測定ギャップに基づいて、ＣＱＩ報告受信、レート制御ループにおけるそれらの使用、またはＵＬ電力制御のうちの少なくとも１つのスケジューリングを調整することをさらに備える、
請求項１４に記載の方法。
【請求項１９】
通常動作期間中に１つまたは複数の受信アンテナの第１のセットを使用してサービング基地局と通信するための手段と、
通常動作期間の間の測定ギャップ中に１つまたは複数の受信アンテナの第２のセットを用いて受信アンテナダイバーシティ測定を実行するための手段と、
前記受信アンテナダイバーシティ測定に基づいて、使用または組合せのうちの少なくとも１つのために１つまたは複数の受信アンテナを選択するための手段と
を備える、ワイヤレス通信のための装置。
【請求項２０】
アンテナの前記第２のセットは、時間とともに変化する、
請求項１９に記載の装置。
【請求項２１】
受信アンテナダイバーシティ測定を実行することは、自動利得制御（ＡＧＣ）動作点を選定することと、セルを識別するためにネイバー探索を実行することと、測定を実行することとのうちの少なくとも１つを備える、
請求項１９に記載の装置。
【請求項２２】
前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、
請求項１９に記載の装置。
【請求項２３】
前記測定ギャップ中にサブフレームの少なくともサブセット上で前記サービング基地局から制御またはデータのうちの少なくとも１つを受信するための手段をさらに備える、
請求項１９に記載の装置。
【請求項２４】
前記測定ギャップを定めるために前記サービング基地局にシグナリングするための手段をさらに備える、
請求項１９に記載の装置。
【請求項２５】
前記シグナリングすることは、測定ギャップを要求することを備える、
請求項２４に記載の装置。
【請求項２６】
前記シグナリングすることは、測定ギャップ中に受信アンテナダイバーシティ測定を実行するための能力をシグナリングすることを備える、
請求項２４に記載の装置。
【請求項２７】
受信アンテナダイバーシティ測定を実行することは、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、
請求項１９に記載の装置。
【請求項２８】
受信アンテナダイバーシティ測定を実行することは、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、
請求項１９に記載の装置。
【請求項２９】
受信アンテナダイバーシティ測定を実行することは、
測定ギャップ中に他のキャリアまたは他の無線アクセス技術のうちの少なくとも１つの測定値を取得することを無効化することを備える、
請求項１９に記載の装置。
【請求項３０】
受信アンテナダイバーシティ測定を実行することは、
他のキャリアまたは他の無線アクセス技術のうちの少なくとも１つの測定値を取得しながら、異なる測定ギャップ中にアンテナの異なるセットからのサンプルを使用することを備える、
請求項１９に記載の装置。
【請求項３１】
３つ以上の受信アンテナからサウンディング基準信号（ＳＲＳ）を送信するための手段をさらに備える、
請求項１９に記載の装置。
【請求項３２】
通常動作期間中に１つまたは複数の受信アンテナの第１のセットを利用するユーザ機器（ＵＥ）と通信するための手段と、
１つまたは複数の受信アンテナの第２のセットを用いて受信アンテナダイバーシティ測定を実行するために前記ＵＥを測定ギャップで構成するための手段と
を備える、ワイヤレス通信のための装置。
【請求項３３】
前記測定ギャップを定めるためにシグナリングを前記ＵＥから受信するための手段をさらに備える、
請求項３２に記載の装置。
【請求項３４】
前記シグナリングすることは、測定ギャップを要求することを備える、
請求項３３に記載の装置。
【請求項３５】
前記シグナリングすることは、測定ギャップ中に受信アンテナダイバーシティ測定を実行するための能力をシグナリングすることを備える、
請求項３３に記載の装置。
【請求項３６】
前記構成された測定ギャップに基づいて、ＣＱＩ報告受信、レート制御ループにおけるそれらの使用、またはＵＬ電力制御のうちの少なくとも１つのスケジューリングを調整するための手段をさらに備える、
請求項３２に記載の装置。
【請求項３７】
１つまたは複数のプロセッサによって実行可能である命令が記憶されたコンピュータ可読媒体を備える、第１のデバイスによるワイヤレス通信のためのコンピュータプログラム製品であって、前記命令は、
通常動作期間中に１つまたは複数の受信アンテナの第１のセットを使用してサービング基地局と通信するための命令と、
通常動作期間の間の測定ギャップ中に１つまたは複数の受信アンテナの第２のセットを用いて受信アンテナダイバーシティ測定を実行するための命令と、
前記受信アンテナダイバーシティ測定に基づいて、使用または組合せのうちの少なくとも１つのために１つまたは複数の受信アンテナを選択するための命令と
を備える、コンピュータプログラム製品。
【請求項３８】
アンテナの前記第２のセットは、時間とともに変化する、
請求項３７に記載のコンピュータプログラム製品。
【請求項３９】
受信アンテナダイバーシティ測定を実行するための前記命令は、自動利得制御（ＡＧＣ）動作点を選定することと、セルを識別するためにネイバー探索を実行することと、測定を実行することとのうちの少なくとも１つを備える、
請求項３７に記載のコンピュータプログラム製品。
【請求項４０】
前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、
請求項３７に記載のコンピュータプログラム製品。
【請求項４１】
前記測定ギャップ中にサブフレームの少なくともサブセット上で前記サービング基地局から制御またはデータのうちの少なくとも１つを受信するための命令をさらに備える、
請求項３７に記載のコンピュータプログラム製品。
【請求項４２】
前記測定ギャップを定めるために前記サービング基地局にシグナリングするための命令をさらに備える、
請求項３７に記載のコンピュータプログラム製品。
【請求項４３】
シグナリングするための前記命令は、測定ギャップを要求することを備える、
請求項４２に記載のコンピュータプログラム製品。
【請求項４４】
シグナリングするための前記命令は、測定ギャップ中に受信アンテナダイバーシティ測定を実行するための能力をシグナリングすることを備える、
請求項４２に記載のコンピュータプログラム製品。
【請求項４５】
受信アンテナダイバーシティ測定を実行するための前記命令は、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、
請求項３７に記載のコンピュータプログラム製品。
【請求項４６】
受信アンテナダイバーシティ測定を実行する前記命令は、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、
請求項３７に記載のコンピュータプログラム製品。
【請求項４７】
受信アンテナダイバーシティ測定を実行するための前記命令は、
測定ギャップ中に他のキャリアまたは他の無線アクセス技術のうちの少なくとも１つの測定値を取得することを無効化することを備える、
請求項３７に記載のコンピュータプログラム製品。
【請求項４８】
受信アンテナダイバーシティ測定を実行するための前記命令は、
他のキャリアまたは他の無線アクセス技術のうちの少なくとも１つの測定値を取得しながら、異なる測定ギャップ中にアンテナの異なるセットからのサンプルを使用することを備える、
請求項３７に記載のコンピュータプログラム製品。
【請求項４９】
３つ以上の受信アンテナからサウンディング基準信号（ＳＲＳ）を送信するための命令をさらに備える、
請求項３７に記載のコンピュータプログラム製品。
【請求項５０】
１つまたは複数のプロセッサによって実行可能である命令が記憶されたコンピュータ可読媒体を備える、第１のデバイスによるワイヤレス通信のためのコンピュータプログラム製品であって、前記命令は、
通常動作期間中に１つまたは複数の受信アンテナの第１のセットを利用するユーザ機器（ＵＥ）と通信するための命令と、
１つまたは複数の受信アンテナの第２のセットを用いて受信アンテナダイバーシティ測定を実行するために前記ＵＥを測定ギャップで構成するための命令と
を備える、コンピュータプログラム製品。
【請求項５１】
前記測定ギャップを定めるためにシグナリングを前記ＵＥから受信するための命令をさらに備える、
請求項５０に記載のコンピュータプログラム製品。
【請求項５２】
シグナリングするための前記命令は、測定ギャップを要求することを備える、
請求項５０に記載のコンピュータプログラム製品。
【請求項５３】
シグナリングするための前記命令は、測定ギャップ中に受信アンテナダイバーシティ測定を実行するための能力をシグナリングすることを備える、
請求項５１に記載のコンピュータプログラム製品。
【請求項５４】
前記構成された測定ギャップに基づいて、ＣＱＩ報告受信、レート制御ループにおけるそれらの使用、またはＵＬ電力制御のうちの少なくとも１つのスケジューリングを調整するための命令をさらに備える、
請求項５０に記載のコンピュータプログラム製品。
【請求項５５】
通常動作期間中に１つまたは複数の受信アンテナの第１のセットを使用してサービング基地局と通信することと、
通常動作期間の間の測定ギャップ中に１つまたは複数の受信アンテナの第２のセットを用いて受信アンテナダイバーシティ測定を実行することと、
前記受信アンテナダイバーシティ測定に基づいて、使用または組合せのうちの少なくとも１つのために１つまたは複数の受信アンテナを選択することと
を行うように構成される少なくとも１つのプロセッサを備える、ワイヤレス通信のための装置。
【請求項５６】
アンテナの前記第２のセットは、時間とともに変化する、
請求項５５に記載の装置。
【請求項５７】
受信アンテナダイバーシティ測定を実行することは、自動利得制御（ＡＧＣ）動作点を選定することと、セルを識別するためにネイバー探索を実行することと、測定を実行することとのうちの少なくとも１つを備える、
請求項５５に記載の装置。
【請求項５８】
前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、
請求項５５に記載の装置。
【請求項５９】
前記プロセッサは、前記測定ギャップ中にサブフレームの少なくともサブセット上で前記サービング基地局から制御またはデータのうちの少なくとも１つを受信するようにさらに構成される、
請求項５５に記載の装置。
【請求項６０】
前記プロセッサは、前記測定ギャップを定めるために前記サービング基地局にシグナリングするようにさらに構成される、
請求項５５に記載の装置。
【請求項６１】
前記シグナリングすることは、測定ギャップを要求することを備える、
請求項５５に記載の装置。
【請求項６２】
前記シグナリングすることは、測定ギャップ中に受信アンテナダイバーシティ測定を実行するための能力をシグナリングすることを備える、
請求項６１に記載の装置。
【請求項６３】
受信アンテナダイバーシティ測定を実行することは、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、
請求項５５に記載の装置。
【請求項６４】
受信アンテナダイバーシティ測定を実行することは、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、
請求項５５に記載の装置。
【請求項６５】
受信アンテナダイバーシティ測定を実行することは、
測定ギャップ中に他のキャリアまたは他の無線アクセス技術のうちの少なくとも１つの測定値を取得することを無効化することを備える、
請求項５５に記載の装置。
【請求項６６】
受信アンテナダイバーシティ測定を実行することは、
他のキャリアまたは他の無線アクセス技術のうちの少なくとも１つの測定値を取得しながら、異なる測定ギャップ中にアンテナの異なるセットからのサンプルを使用することを備える、
請求項５５に記載の装置。
【請求項６７】
前記プロセッサは、３つ以上の受信アンテナからサウンディング基準信号（ＳＲＳ）を送信するようにさらに構成される、
請求項５５に記載の装置。
【請求項６８】
通常動作期間中に１つまたは複数の受信アンテナの第１のセットを利用するユーザ機器（ＵＥ）と通信することと、
１つまたは複数の受信アンテナの第２のセットを用いて受信アンテナダイバーシティ測定を実行するために前記ＵＥを測定ギャップで構成することと
を行うように構成される少なくとも１つのプロセッサを備える、
ワイヤレス通信のための装置。
【請求項６９】
前記プロセッサは、前記測定ギャップを定めるためにシグナリングを前記ＵＥから受信するようにさらに構成される、
請求項６８に記載の装置。
【請求項７０】
前記シグナリングすることは、測定ギャップを要求することを備える、
請求項６８に記載の装置。
【請求項７１】
前記シグナリングすることは、測定ギャップ中に受信アンテナダイバーシティ測定を実行するための能力をシグナリングすることを備える、
請求項６９に記載の装置。
【請求項７２】
前記プロセッサは、前記構成された測定ギャップに基づいて、ＣＱＩ報告受信、レート制御ループにおけるそれらの使用、またはＵＬ電力制御のうちの少なくとも１つのスケジューリングを調整するようにさらに構成される、
請求項６８に記載の装置。
【請求項７３】
サービングセルのサービング基地局と通信することと、
異なる時間に受信アンテナの異なるセットを使用してキャリア周波数上で前記サービングセルおよび近隣セルの測定を実行することと
を備える、ワイヤレス通信のための方法。
【発明の詳細な説明】
【関連出願】
【０００１】
米国特許法第１１９条による優先権の主張  
本出願は、その全体が参照により本明細書に組み込まれる、２０１１年１２月１６日に出願されたインド仮特許出願第４４２１号／ＣＨＥ／２０１１の利益を主張する。
【技術分野】
【０００２】
本開示のいくつかの態様は、一般にワイヤレス通信に関し、より詳細には、測定ギャップ中に受信アンテナダイバーシティ測定を実行することに関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。基地局は、ＵＥにダウンリンク上でデータおよび制御情報を送信し得、および／またはＵＥからアップリンク上でデータおよび制御情報を受信し得る。
【０００５】
複数の受信（Ｒｘ）アンテナは、受信エネルギーの量を増加させること、したがって、信号対雑音比（ＳＮＲ）を改善することなど、いくつかの理由により、および、ダイバーシティ利得を与え、ＵＥがより多くの並列ストリームを受信することを可能にすることによって、ＵＥ性能を改善し得る。しかしながら、複数の受信アンテナから十分な利益を獲得するために、アンテナごとに完全な受信チェーンを有することが必要であり得、それはコストが法外に高くなり得る。
【０００６】
したがって、より少数の受信チェーンを有しながら複数のＲｘアンテナを利用するための技法が望ましい。
【発明の概要】
【０００７】
本開示のいくつかの態様は、ワイヤレス通信のための方法を提供する。本方法は、概して、通常動作期間中に１つまたは複数の受信アンテナの第１のセットを使用して基地局と通信することと、通常動作期間の間の測定ギャップ中に１つまたは複数の受信アンテナの第２のセットを用いて受信アンテナダイバーシティ測定を実行することと、受信アンテナダイバーシティ測定に基づいて、使用および／または組合せのうちの少なくとも１つのために１つまたは複数の受信アンテナを選択することとを含む。
【０００８】
本開示のいくつかの態様は、ワイヤレス通信のための方法を提供する。本方法は、概して、通常動作期間中に１つまたは複数の受信アンテナの第１のセットを利用するユーザ機器（ＵＥ）と通信することと、１つまたは複数の受信アンテナの第２のセットを用いて受信アンテナダイバーシティ測定を実行するためにＵＥを測定ギャップで構成することとを含む。
【０００９】
本開示のいくつかの態様は、ワイヤレス通信のための装置を提供する。本装置は、概して、通常動作期間中に１つまたは複数の受信アンテナの第１のセットを使用してサービング基地局と通信するための手段と、通常動作期間の間の測定ギャップ中に１つまたは複数の受信アンテナの第２のセットを用いて受信アンテナダイバーシティ測定を実行するための手段と、受信アンテナダイバーシティ測定に基づいて、使用および／または組合せのうちの少なくとも１つのために１つまたは複数の受信アンテナを選択するための手段とを含む。
【００１０】
本開示のいくつかの態様は、ワイヤレス通信のための装置を提供する。本装置は、概して、通常動作期間中に１つまたは複数の受信アンテナの第１のセットを利用するユーザ機器（ＵＥ）と通信するための手段と、１つまたは複数の受信アンテナの第２のセットを用いて受信アンテナダイバーシティ測定を実行するためにＵＥを測定ギャップで構成するための手段とを含む。
【００１１】
本開示のいくつかの態様は、１つまたは複数のプロセッサによって実行可能である命令が記憶されたコンピュータ可読媒体を備える、第１のデバイスによるワイヤレス通信のためのコンピュータプログラム製品を提供する。命令は、概して、通常動作期間中に１つまたは複数の受信アンテナの第１のセットを使用してサービング基地局と通信するための命令と、通常動作期間の間の測定ギャップ中に１つまたは複数の受信アンテナの第２のセットを用いて受信アンテナダイバーシティ測定を実行するための命令と、受信アンテナダイバーシティ測定に基づいて、使用および／または組合せのうちの少なくとも１つのために１つまたは複数の受信アンテナを選択するための命令とを含む。
【００１２】
本開示のいくつかの態様は、１つまたは複数のプロセッサによって実行可能である命令が記憶されたコンピュータ可読媒体を備える、第１のデバイスによるワイヤレス通信のためのコンピュータプログラム製品を提供する。命令は、概して、通常動作期間中に１つまたは複数の受信アンテナの第１のセットを利用するユーザ機器（ＵＥ）と通信するための命令と、１つまたは複数の受信アンテナの第２のセットを用いて受信アンテナダイバーシティ測定を実行するためにＵＥを測定ギャップで構成するための命令とを含む。
【００１３】
本開示のいくつかの態様は、少なくとも１つのプロセッサを備える、ワイヤレス通信のための装置を提供する。プロセッサは、概して、通常動作期間中に１つまたは複数の受信アンテナの第１のセットを使用してサービング基地局と通信することと、通常動作期間の間の測定ギャップ中に１つまたは複数の受信アンテナの第２のセットを用いて受信アンテナダイバーシティ測定を実行することと、受信アンテナダイバーシティ測定に基づいて、使用および／または組合せのうちの少なくとも１つのために１つまたは複数の受信アンテナを選択することとを行うように構成される。
【００１４】
本開示のいくつかの態様は、少なくとも１つのプロセッサを備える、ワイヤレス通信のための装置を提供する。プロセッサは、概して、通常動作期間中に１つまたは複数の受信アンテナの第１のセットを利用するユーザ機器（ＵＥ）と通信することと、１つまたは複数の受信アンテナの第２のセットを用いて受信アンテナダイバーシティ測定を実行するためにＵＥを測定ギャップで構成することとを行うように構成される。
【００１５】
本開示の様々な態様および特徴について以下でさらに詳細に説明する。
【図面の簡単な説明】
【００１６】
本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図１】本開示のいくつかの態様による、ワイヤレス通信ネットワークの一例を概念的に示すブロック図。
【図２】本開示のいくつかの態様による、ワイヤレス通信ネットワークにおけるフレーム構造の一例を概念的に示すブロック図。
【図２Ａ】本開示のいくつかの態様による、ロングタームエボリューション（ＬＴＥ）におけるアップリンクのための例示的なフォーマットを示す図。
【図３】本開示のいくつかの態様による、ワイヤレス通信ネットワーク中のユーザ機器デバイス（ＵＥ）と通信しているノードＢの一例を概念的に示すブロック図。
【図４】本開示のいくつかの態様による、たとえば、ユーザ機器（ＵＥ）によって実行され得る受信アンテナダイバーシティの例示的な動作を示す図。
【図５】本開示のいくつかの態様による、たとえば、基地局によって実行され得る受信アンテナダイバーシティを可能にするための例示的な動作を示す図。
【図６Ａ】本開示の態様による、測定ギャップ中に実行される例示的な受信アンテナダイバーシティ測定を示す図。
【図６Ｂ】本開示の態様による、測定ギャップ中に実行される例示的な受信アンテナダイバーシティ測定を示す図。
【図６Ｃ】本開示の態様による、測定ギャップ中に実行される例示的な受信アンテナダイバーシティ測定を示す図。
【発明を実施するための形態】
【００１７】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１８】
例示的なワイヤレスネットワーク  
図１に、ＬＴＥネットワークであり得るワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに通信カバレージを与え得る。「セル」という用語は、この用語が使用されるコンテキストに応じて、ｅＮＢのカバレージエリアおよび／またはこのカバレージエリアをサービスするｅＮＢサブシステムを指すことがある。
【００１９】
ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示す例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００２０】
ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、中継器ｅＮＢ、中継器などと呼ばれることもある。
【００２１】
ワイヤレスネットワーク１００は、様々なタイプのｅＮＢ、たとえば、マクロｅＮＢ、ピコｅＮＢ、フェムトｅＮＢ、中継器などを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、および中継器は、より低い送信電力レベル（たとえば、１ワット）を有し得る。
【００２２】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２３】
ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２４】
ＵＥ１２０は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットなどであり得る。ＵＥは、マクロｅＮＢ、ピコｅＮＢ、フェムトｅＮＢ、中継器などと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２５】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２６】
図２に、ＬＴＥにおいて使用されるフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合はＬ＝７個のシンボル期間、または拡張サイクリックプレフィックスの場合はＬ＝６個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２７】
ＬＴＥでは、ｅＮＢは、ｅＮＢ中の各セルについてプライマリ同期信号（ＰＳＳ：primary synchronization signal）とセカンダリ同期信号（ＳＳＳ：secondary synchronization signal）とを送り得る。プライマリ同期信号およびセカンダリ同期信号は、図２に示すように、それぞれ、ノーマルサイクリックプレフィックス（ＣＰ：cyclic prefix）をもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２８】
ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割当てに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００２９】
ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００３０】
各シンボル期間においていくつかのリソース要素が利用可能であり得る。各リソース要素（ＲＥ：resource element）は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２において拡散され得る。ＰＤＣＣＨは、最初のＭ個のシンボル期間において、利用可能なＲＥＧから選択され得る、９、１８、３２、または６４個のＲＥＧを占有し得る。ＲＥＧのいくつかの組合せのみがＰＤＣＣＨに対して許され得る。
【００３１】
ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索する組合せの数は、一般に、ＰＤＣＣＨに対して許される組合せの数よりも少ない。ｅＮＢは、ＵＥが探索することになる組合せのいずれかにおいてＵＥにＰＤＣＣＨを送り得る。
【００３２】
図２Ａに、ＬＴＥにおけるアップリンクのための例示的なフォーマット２００Ａを示す。アップリンクのために利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図２Ａの設計は、単一のＵＥに、データセクション中の連続するサブキャリアのすべてが割り当てられることを可能にし得る、連続するサブキャリアを含むデータセクションを生じる。
【００３３】
ＵＥには、ｅＮＢに制御情報を送信するために制御セクション中のリソースブロックが割り当てられ得る。ＵＥにはまた、ノードＢにデータを送信するためにデータセクション中のリソースブロックが割り当てられ得る。ＵＥは、制御セクション中の割り当てられたリソースブロック上の物理アップリンク制御チャネル（ＰＵＣＣＨ：Physical Uplink Control Channel）２１０ａ、２１０ｂ中で制御情報を送信し得る。ＵＥは、データセクション中の割り当てられたリソースブロック上の物理アップリンク共有チャネル（ＰＵＳＣＨ：Physical Uplink Shared Channel）２２０ａ、２２０ｂ中でデータまたはデータと制御情報の両方を送信し得る。アップリンク送信は、サブフレームの両方のスロットにわたり得、図２Ａに示すように周波数上でホッピングし得る。
【００３４】
ＵＥは、複数のｅＮＢのカバレージ内にあり得る。そのＵＥをサービスするために、これらのｅＮＢのうちの１つが選択され得る。サービングｅＮＢは、受信電力、パスロス、信号対雑音比（ＳＮＲ）など、様々な基準に基づいて選択され得る。
【００３５】
ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）より低い受信電力をもつマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。
【００３６】
支配的干渉シナリオはまた、範囲拡張により発生し得、これは、ＵＥが、ＵＥによって検出されたすべてのｅＮＢのうち、より低いパスロスとより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘのパスロスがマクロｅＮＢ１１０ｂのパスロスよりも低い場合、ＵＥ１２０ｘはピコｅＮＢ１１０ｘに接続することが望ましいことがある。これにより、ＵＥ１２０ｘの所与のデータレートに対してワイヤレスネットワークへの干渉が少なくなり得る。
【００３７】
一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数および上側周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の相対受信電力に基づいて（ｅＮＢの送信電力レベルには基づかずに）「弱い」ｅＮＢまたは「強い」ｅＮＢとして分類され得る。
【００３８】
図３に、図１の基地局／ｅＮＢのうちの１つであり得る基地局またはｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを装備し得、ＵＥ１２０は、Ｒ個のアンテナ３５２ａ〜３５２ｒを装備し得、概して、Ｔ≧１およびＲ≧１である。
【００３９】
ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）して、それぞれデータシンボルと制御シンボルとを獲得し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに与え得る。各変調器３３２は、（たとえば、ＯＦＤＭなどのために）それぞれの出力シンボルストリームを処理して、出力サンプルストリームを獲得し得る。各変調器３３２はさらに、出力サンプルストリームを処理（たとえば、アナログへの変換、増幅、フィルタ処理、およびアップコンバート）して、ダウンリンク信号を獲得し得る。変調器３３２ａ〜３３２ｔからのＴ個のダウンリンク信号は、それぞれＴ個のアンテナ３３４ａ〜３３４ｔを介して送信され得る。
【００４０】
ＵＥ１２０において、アンテナ３５２ａ〜３５２ｒは、ｅＮＢ１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを獲得し得る。各復調器３５４は、（たとえば、ＯＦＤＭなどのために）入力サンプルをさらに処理して、受信シンボルを獲得し得る。ＭＩＭＯ検出器３５６は、すべてのＲ個の復調器３５４ａ〜３５４ｒから受信シンボルを獲得し、適用可能な場合は受信シンボルに対してＭＩＭＯ検出を実行し、検出されたシンボルを与え得る。受信プロセッサ３５８は、検出シンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００４１】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報が獲得され得る。受信プロセッサ３３８は、復号されたデータをデータシンク３３９に与え、復号された制御情報をコントローラ／プロセッサ３４０に与え得る。
【００４２】
コントローラ／プロセッサ３４０、３８０は、それぞれｅＮＢ１１０における動作およびＵＥ１２０における動作を指示し得る。ＵＥ１２０におけるコントローラ／プロセッサ３８０ならびに／または他のプロセッサおよびモジュールは、図４の動作４００、および／または本明細書で説明する技法のための他のプロセスを実行または指示し得る。メモリ３８２は、ＵＥ１２０のためのデータおよびプログラムコードを記憶し得る。スケジューラ３４４は、ダウンリンクおよび／またはアップリンク上でのデータ送信のためにＵＥをスケジュールし得る。
【００４３】
より少ない数の受信チェーンを使用した受信アンテナ選択／受信アンテナの組合せ  
多くの場合、複数の受信（Ｒｘ）アンテナはユーザ機器（ＵＥ）の性能を改善し得る。上述したように、複数のＲｘアンテナは、受信エネルギーの量を増加させ、したがって、ＳＮＲを改善し得る。複数のＲｘアンテナは、フェージング環境においてダイバーシティ利得を与え得る。複数のＲｘアンテナは、たとえば、ユーザがいくつかのアンテナを他のアンテナよりも多くブロックする形で電話（ＵＥの一例）を保持するとき、半静的不平衡の影響を緩和し得る。複数のＲｘアンテナはまた、ＭＩＭＯ利得を与えるために使用され、それにより、より多くの並列ストリームがＵＥに配信されることが可能になり得る。
【００４４】
しかしながら、複数のＲｘアンテナの完全なサポートは、Ｒｘアンテナごとに無線周波数（ＲＦ）チェーンを追加することと、すべてのＲｘアンテナをサポートするためにベースバンド処理能力を追加することとを必要とし得る。ベースバンド処理能力は、たとえば、すべてのアンテナ上で同時にチャネル測定値を取得し（たとえば、チャネル推定値を獲得し）、すべてのアンテナからの信号を同時に処理する能力を含み得る。残念ながら、コスト制限により、（たとえば、ＬＴＥのための）従来のモデムチップセットベースバンド処理は２つのＲｘアンテナしかサポートしない。
【００４５】
本開示のいくつかの態様は、利用可能なＲｘアンテナのすべてよりも少ないＲｘアンテナのための完全なベースバンド処理をサポートし得るベースバンドモデムを使用して（選択ダイバーシティなど）複数のＲｘアンテナからダイバーシティ利得を獲得するための技法を提供する。以下の例では２つのＲｘアンテナのためのベースバンドモデム処理について説明するが、本明細書で説明する技法は、完全なベースバンド処理サポートを伴う受信チェーンよりも大きい数のＲｘアンテナを有する任意の構成において適用され得ることを当業者は諒解されよう。
【００４６】
いくつかのデバイスは、本明細書で提示する技法から恩恵を受けるように特に適合され得る。たとえば、ＬＴＥバックホールおよびＷｉＦｉ（登録商標）アクセスをもつ、「ＭｉＦｉ」デバイスと呼ばれることがあるモバイルホットスポットは、上記の例示的な技法から恩恵を受け得る。理解されるように、提供される技法はＭｉＦｉデバイスに限定されず、上記の技法は他のデバイスにおいても実装され得る。ただし、Ｍｉｆｉデバイスは、それらが事業者のキャリア周波数をサポートし得、バックホール上で他の技術にハンドオフすることを要求され得ないとき、恩恵を受け得る。したがって、従来の測定ギャップは、他の技術／キャリアを測定することを要求され得ない。さらに、チャネルは緩やかに変化する可能性があり得、比較的頻度が低い測定の場合でも、デバイスがダイバーシティ利得を得ることが可能になる。
【００４７】
Ｒｘアンテナ上でのチャネル推定を必要しないことがあるダイバーシティ利得を得るための１つの技法は、サイクリック遅延ダイバーシティである。いくつかの実施形態では、この技法は、２つ以上のＲｘアンテナからの信号を互いに遅延させることと、より強い（１つまたは複数の）仮想受信アンテナを作成するために遅延された信号を合計することとを伴い得る。
【００４８】
しかしながら、たとえば、Ｒｘアンテナのチャネル推定を必要とする比較的大きい利得を与えるいくつかの技法では、他のダイバーシティ技法が使用され得る。いくつかの実施形態では、最良の受信チャネル品質をもつ２つのアンテナを選択するために選択ダイバーシティが使用され得る。いくつかの例示的な実施形態によれば、選択ダイバーシティ（および最良のチャネル品質を判断すること）は、ＬＴＥにおいて与えられる周波数間測定ギャップを使用して得られ得る。
【００４９】
概して、ＵＥは、周波数内（intra-frequency）測定および周波数間（inter-frequency）測定という、２つのタイプの探索および測定を実行し得る。概して、探索は、基地局によって送信されたプライマリ同期信号（ＰＳＳ）／セカンダリ同期信号（ＳＳＳ）または基準信号のうちの１つまたは複数の位置を特定することによって近くの基地局のセルＩＤ、タイミングを判断することを伴い得る。測定は、基地局によって送信された基準信号（ＣＲＳ／ＣＳＩ−ＲＳ）を使用してＲＳＲＰおよびＲＳＳＩなどの量を推定することを伴い得る。
【００５０】
周波数内探索および測定は、ＵＥがその上で動作している同じキャリア周波数（たとえば、サービングセルキャリア周波数）上で実行される。周波数内測定の場合、ＵＥは、それのサービングセルを測定し、そのサービングセルよりも近隣セルが強くなるかどうかをモニタするために、近隣セルを探索し、測定する。
【００５１】
周波数間探索および測定は、ＵＥがその上で動作しているキャリア周波数とは別のキャリア周波数上でＵＥによって実行される。いくつかの実施形態では、キャリア周波数は同じ無線アクセス技術（ＲＡＴ：radio access technology）に属し得る。いくつかの実施形態では、ＵＥは、他のＲＡＴに属するキャリア周波数上で探索および測定を実行し得る（ＲＡＴ間測定と呼ばれる）。
【００５２】
周波数間探索および測定を可能にするために、ＵＥは測定ギャップで構成される。測定ギャップは、ＵＥがそれのサービングセル中で制御およびデータ送信を処理する必要がないことがある期間であり、それにより、ＵＥは、基地局からの送信を紛失することなしに他の周波数を走査することが可能になる。たとえば、ＵＥは、４０ｍｓごとに測定ギャップで構成され得、その中で６ｍｓ探索が実行され得る。別の例では、ＵＥは、８０ｍｓごとに６ｍｓ測定ギャップで構成され得る。
【００５３】
いくつかの実施形態では、ＵＥは、通常の処理期間において、（２つの受信チェーンを仮定して）２つのＲｘアンテナにおいて受信された送信を推定し、処理し得る。測定ギャップ中に、ＵＥは、２つのＲｘアンテナ上で周波数間測定を実行し得、追加または代替として、ＵＥは、同じキャリア周波数（サービングセルキャリア周波数）上で異なるＲｘアンテナを測定し得る。ＵＥは、次いで、周波数間測定ギャップ中に行われたこれらの測定を使用して、たとえば、ＵＥが測定を行うことができる次回まで、どのＲｘアンテナを使用（選択）すべきか、またはアンテナをどのように組み合わせるべきかを判断するためにダイバーシティ処理を実行し得る。
【００５４】
上述したように、他のセルの探索および測定を実行するために周波数間測定ギャップが通常使用される。いくつかの実施形態では、これは、自動利得制御（ＡＧＣ：Automatic Gain Control）動作点を判断することと、セルを識別するために近隣セルの探索を実行することと、識別されたセルの測定を実行することと、他のタイプの測定を実行することとのうちの１つまたは複数を備え得る。
【００５５】
いくつかのＲｘアンテナは他のＲｘアンテナよりも良好であり得るので、本明細書で提示する技法は、近隣セルを探索し、測定を実行するときに有益であるダイバーシティを与え得る。
【００５６】
いくつかの態様によれば、周波数内または周波数間探索を実行するための従来のステップのいくつかが省略され得る。たとえば、新しい周波数間探索は、その動作が周波数内探索中に実行され、周波数内探索からの探索結果（タイミング、セルｉｄなど）が入手可能であるので、同じキャリア上でアンテナについて実行されなくてよい。いくつかの態様によれば、他のＲｘアンテナの測定値は、必要な情報がすでに獲得されたサービングセル測定のみのために使用され得る。
【００５７】
いくつかの態様によれば、Ｒｘダイバーシティ測定を可能にするために、基地局（ｅＮＢ）は、ギャップが従来はスケジュールされないであろうシナリオにおいて測定ギャップをスケジュールし得る。たとえば、ＬＴＥチャネルが極めて良好である場合でも、ならびにＵＥが他のキャリア周波数および／または他のＲＡＴをサポートしなくてよいかまたはサポートすることを要求されない場合でも、ＬＴＥ  ｅＮＢは測定ギャップをスケジュールし得る。
【００５８】
いくつかの態様によれば、ＵＥは、たとえば、何らかのタイプの要求メッセージを用いて、ＵＥがｅＮＢに測定ギャップを要求するための（シグナリング）機構を有し得る。追加または代替として、どのＵＥがＲｘアンテナダイバーシティ測定のために測定ギャップを必要とするかをｅＮＢに示す、シグナリング能力（ＵＥ能力ビット）が追加され得る。
【００５９】
ｅＮＢは、ＵＥが、それのＲｘアンテナと、場合によっては（同じＲｘアンテナが送信と受信の両方のために使用される場合）送信（Ｔｘ）アンテナとを変更し得ることを知ると、チャネル品質インジケータ（ＣＱＩ：Channel Quality Indicator）報告受信と、レート制御ループと、ＵＬ電力制御とのｅＮＢの処理を変更し得る。たとえば、ｅＮＢは、ＵＥにおいてアンテナが変化し得ることを知ったとき、レート予測のために使用されるＣＱＩフィルタ処理の量を低減し得る。いくつかの態様によれば、ＵＥは、これらのプロセスでｅＮＢを助けるために３つ以上のＲｘアンテナ上でサウンディングを循環させ得る（ＳＲＳを送り得る）。
【００６０】
他のシナリオでは、測定ギャップは他の技術のために必要とされ得る。たとえば、測定ギャップが他の目的のために必要とされる場合、Ｒｘダイバーシティ測定が制限され得る。場合によっては、同じキャリア（サービングセルキャリア周波数）上で追加のアンテナを測定するためのサポートが無効化され得る。
【００６１】
いくつかの実施形態では、いくつかの測定ギャップは、Ｒｘダイバーシティ測定のために（たとえば、他のＲｘアンテナ上で現在のキャリア信号を測定するために）使用され得るが、他の測定ギャップは、他のキャリア／技術を測定するために使用され得る。いくつかの態様では、ＵＥは、他のキャリア／技術のためにより少ない測定ギャップを有し、それらのキャリア／技術の測定のための要件は緩和され得る。一実施形態では、たとえば、測定ギャップは、４０ｍｓごとにスケジュールされ得、他のアンテナを使用したサービングセルキャリア周波数上での周波数内測定と周波数間測定との間で交替し得る。この場合、ＵＥは、他の測定ギャップごとに周波数間（またはＲＡＴ間）測定を実行するにもかかわらずＵＥが要件を満たすことを可能にする、８０ｍｓ測定ギャップ期間に関する要件を満たすように構成され得る。
【００６２】
いくつかの実施形態では、ＵＥは、測定および探索におけるダイバーシティを得るために、異なる測定ギャップにおいてアンテナの異なるセットを使用し得る。ＵＥは、サービングセルキャリアだけでなくすべてのキャリアについてこのように測定を実行し得る。たとえば、検出の見込みを向上させるために特定のキャリア上の受信サンプルの異なるセットを使用して探索プロシージャを複数回使用していることがある。異なるサンプルが使用されるので、そのような手法で時間ダイバーシティが得られる。４つのＲｘアンテナと２つのＲｘチェーンとを有するとき、ある１つの場合と第２の場合の両方の場合において同じ２つのＲｘアンテナを使用する代わりに、ある１つの場合には２つのＲｘアンテナを使用し、第２の場合には他の２つの受信アンテナを使用して探索を実行し得るであろう。そのような方式は、時間ダイバーシティに加えて受信ダイバーシティの利益を与える。
【００６３】
ＵＥが間欠受信（ＤＲＸ：Discontinuous Reception）モードまたはアイドルモードである場合、ＵＥは、いくつかの制御またはデータサブフレームをモニタしないことがある。ＵＥは、測定および探索のためにサブフレームの一部分をモニタすることを選択し得る。ＵＥは、測定ギャップの外部の探索および測定のために異なるアンテナ間で切り替わり得る。その結果、測定ギャップは必要とされないことがある。
【００６４】
要約すれば、上記に記載した例示的な実施形態は、サービングセルキャリア周波数の他のＲｘアンテナについての測定を実行するために測定ギャップを利用し得る。いくつかの実施形態では、サービングセルキャリア周波数を測定するとき、周波数間探索に通常関連するステップのいくつかがスキップされ得る。測定ギャップは、接続モードで動作するときの測定のために使用され得るが、接続ＤＲＸまたはＲＲＣ  ＩＤＬＥモードは、測定ギャップに依拠することを要求されないことがある。接続モードでは、測定ギャップがスケジュールされ得るが、そのようなスケジューリングは通常では必要とされないことがある。
【００６５】
いくつかの実施形態では、上記の技法は、他のアンテナ上でサービングセルキャリア周波数のために測定ギャップのサブセットを使用し、他のキャリア／技術のために残りの測定ギャップの一部または全部を使用し得る。上記の技法は、探索および測定のための受信ダイバーシティを得るために、測定ギャップ中にＲｘアンテナ間で切り替わり得る。本技法はまた、Ｒｘアンテナダイバーシティ測定を実行するために測定ギャップを要求するかまたは測定ギャップの必要をシグナリングするために、ＵＥからｅＮＢへの新しい信号および／またはシグナリング能力を利用する。
【００６６】
いくつかの態様によれば、「通常」使用のために異なるアンテナが選択され、したがって、測定ギャップ中にＲｘアンテナダイバーシティを測定するために使用されるアンテナは時間とともに変化することになる（すなわち、通常使用のために選択されたアンテナに応じて、異なる測定ギャップのためにアンテナの異なるセットが使用される）。
【００６７】
いくつかの実施形態では、測定ギャップ中に他のＲｘアンテナを使用してサービングセルキャリア周波数を測定するとき、探索は、スキップされるか、または周波数内探索中に見つけられたセルのサブセットの周りのウィンドウに制限され得る。本明細書で使用する「ウィンドウ」という用語は、概して、前に検出されたセルの検出タイミングの周りのタイミング仮定のセットを指す。
【００６８】
また、たとえば、性能を改善するために、さらなる最適化が行われ得る。いくつかの実施形態では、ＵＥは、ＵＥが他のＲｘアンテナを使用してサービングセルキャリア周波数を測定するために使用している測定ギャップ中にサブフレームの少なくともサブセット上で制御／データをサービスされ続け得る。
【００６９】
図４は、測定ギャップ中にＲｘアンテナダイバーシティ測定を実行するための例示的な動作４００のフローチャートである。動作は、たとえば、ユーザ機器（ＵＥ）によって実行され得る。
【００７０】
いくつかの態様によれば、ＵＥは、最初に４０２において、測定ギャップについて基地局にシグナリングする。上述したように、ＵＥは、測定ギャップを明示的に要求するか、または測定ギャップ中にＲｘアンテナダイバーシティ測定を実行するための能力をシグナリングし得る。４０４において、通常期間中に１つまたは複数のＲｘアンテナの第１のセットと通信しながら、ＵＥは、測定ギャップ中に他のアンテナを用いて測定を実行する。４０６において、ＵＥは、使用および／または組合せのためのアンテナを選択するために測定の結果を使用する。
【００７１】
図５は、測定ギャップ中にＵＥによるＲｘアンテナダイバーシティ測定を可能にするための例示的な動作５００のフローチャートである。動作は、たとえば、基地局（たとえば、ｅＮＢ）によって実行され得る。
【００７２】
いくつかの実施形態では、基地局は、５０２において、Ｒｘダイバーシティ測定を実行するためにＵＥが測定ギャップで構成される必要を示すシグナリングを受信する。上述したように、ＵＥは、測定ギャップを明示的に要求するか、または測定ギャップ中にＲｘアンテナダイバーシティ測定を実行するための能力をシグナリングし得る。５０４において、基地局は、Ｒｘダイバーシティ測定を実行するために測定ギャップについてＵＥを構成する。上述したように、基地局は、基地局が通常ならばＵＥを測定ギャップで構成しない（たとえば、サービングセル中に強いチャネルが与えられた）ときでも、ＵＥを測定ギャップで構成し得る。
【００７３】
図６Ａに、ＵＥが、たとえば、４０ｍｓまたは８０ｍｓ期間６０２の通常動作期間の間の測定ギャップ６００中にＲｘアンテナダイバーシティ測定値をどのように取得し得るかを示す。図６Ｂに示すように、場合によっては、ＵＥは、いくつかの測定ギャップ６１０中に（従来の）周波数間またはＲＡＴ間測定値を取得することと、他の測定ギャップ６２０中にＲｘアンテナダイバーシティ測定値を取得することとを交互に行い得る。図６Ｃに示すように、場合によっては、ＵＥは、いくつかの測定ギャップ６３０中にＲｘアンテナダイバーシティ測定値と周波数間／ＲＡＴ間測定値の両方を取得し得る。
【００７４】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。たとえば、受信するための手段は、図３に示したＵＥ１２０の受信機、復調器３５４、および／またはアンテナ３５２を備え得る。処理するための手段、判断するための手段、サンプリングするための手段、および／または相関させるための手段は、処理システムを備え得、その処理システムは、図３に示したＵＥ１２０の受信プロセッサ３５８、送信プロセッサ３６４、および／またはコントローラ／プロセッサ３８０など、少なくとも１つのプロセッサを含み得る。
【００７５】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７６】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００７７】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７８】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００７９】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００８０】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2015502123.tif 000003
【図２】
2015502123.tif 000004
【図２Ａ】
2015502123.tif 000005
【図３】
2015502123.tif 000006
【図４】
2015502123.tif 000007
【図５】
2015502123.tif 000008
【図６Ａ】
2015502123.tif 000009
【図６Ｂ】
2015502123.tif 000010
【図６Ｃ】
2015502123.tif 000011
【国際調査報告】
2015502123.tif 000012
2015502123.tif 000013
2015502123.tif 000014